(57)【要約】【課題】液相部の容量増大を抑制しつつ液相部内の液体を十分に撹拌することができる圧力検出器を提供する。【解決手段】ケースＣと、液体を充填し得る液相部Ｓ１と、気体を充填し得る気相部Ｓ２とを区画するとともに、液相部Ｓ１に充填された液体の圧力に応じて変位可能な膜部材Ｍとを具備し、気相部Ｓ２の圧力を検出することにより液体の圧力を検出する圧力検出器において、液体の流路に接続可能な突出部から成るとともに、液相部Ｓ１の流入口から液体を流入させる流路部Ｃ１ａを有した流入ポートＣ１と、液体の流路に接続可能な突出部から成るとともに、液相部Ｓ１に流入した液体を流出口から流出させる流路部Ｃ２ａを有した流出ポートＣ２とを有し、流入ポートＣ１の流路部Ｃ１ａ又は流出ポートＣ２の流路部Ｃ２ａは、その液体の流入方向α又は流出方向βが膜部材Ｍの取付面Ｑに対して傾斜して成るものである。【選択図】図４
2019198453.tif 000002
【特許請求の範囲】
【請求項１】
液体の流路に接続可能なケースと、
該ケース内に取り付けられ、前記流路の液体を充填し得る液相部と、気体を充填し得る気相部とを区画するとともに、前記液相部に充填された液体の圧力に応じて変位可能な膜部材と、
を具備し、前記気相部の圧力を検出することにより前記流路における液体の圧力を検出する圧力検出器において、
前記液体の流路に接続可能な接続部を有するとともに、前記液相部の流入口から液体を流入させる流路部を有した流入ポートと、
前記液体の流路に接続可能な接続部を有するとともに、前記液相部に流入した液体を流出口から流出させる流路部を有した流出ポートと、
を有し、前記流入ポートの流路部又は流出ポートの流路部のうち少なくとも一方は、その液体の流入方向又は流出方向が前記膜部材の取付面に対して傾斜して成ることを特徴とする圧力検出器。
【請求項２】
少なくとも前記流入ポートの流路部は、前記液相部に向かって漸次縮径して成ることを特徴とする請求項１記載の圧力検出器。
【請求項３】
前記流入ポート及び流出ポートは、前記ケースの周方向に対して所定角度有して形成されたことを特徴とする請求項１又は請求項２記載の圧力検出器。
【請求項４】
前記流入ポートの流路部及び流出ポートの流路部は、液体の流入方向と流出方向とが互いにオフセットして成ることを特徴とする請求項１〜３の何れか１つに記載の圧力検出器。
【請求項５】
前記ケースは、前記液相部が形成される液相部ケースと、前記気相部が形成される気相部ケースとを有して構成され、前記膜部材の取付面は、当該液相部ケース及び気相部ケースを合致させて前記膜部材を挟持した挟持面を含む仮想平面から成ることを特徴とする請求項１〜４の何れか１つに記載の圧力検出器。
【請求項６】
前記流入ポート及び流出ポートのうち少なくとも一方は、前記接続部との境界面における前記流路部の中心位置にある第１中心点と前記境界面と平行であって前記流入口又は流出口の開口縁を含む面における前記流路部の中心位置にある第２中心点とを結ぶ仮想線が前記接続部の中心線に対して傾斜して成ることを特徴とする請求項１〜５の何れか１つに記載の圧力検出器。
【請求項７】
液体の流路に接続可能なケースと、
該ケース内に取り付けられ、前記流路の液体を充填し得る液相部と、気体を充填し得る気相部とを区画するとともに、前記液相部に充填された液体の圧力に応じて変位可能な膜部材と、
を具備し、前記気相部の圧力を検出することにより前記流路における液体の圧力を検出する圧力検出器において、
前記液体の流路に接続可能な接続部を有するとともに、前記液相部の流入口から液体を流入させる流路部を有した流入ポートと、
前記液体の流路に接続可能な接続部を有するとともに、前記液相部に流入した液体を流出口から流出させる流路部を有した流出ポートと、
を有し、前記流入ポートの流路部又は流出ポートの流路部は、その液体の流入方向又は流出方向が前記膜部材の取付面に対して平行とされ、且つ、前記流入ポート及び流出ポートの一方における前記接続部との境界面における前記流路部の中心位置にある第１中心点と前記境界面と平行であって前記流入口又は流出口の開口縁を含む面における前記流路部の中心位置にある第２中心点とを結ぶ仮想線の延長線上に前記流入ポート及び流出ポートの他方における前記第２中心点が重ならない配置とされたことを特徴とする圧力検出器。
【請求項８】
少なくとも前記流入ポートの流路部は、前記液相部に向かって漸次縮径して成ることを特徴とする請求項７記載の圧力検出器。
【請求項９】
前記流入ポート及び流出ポートは、前記ケースの周方向に対して所定角度有して形成されたことを特徴とする請求項７又は請求項８記載の圧力検出器。
【請求項１０】
前記流入ポートの流路部及び流出ポートの流路部は、液体の流入方向と流出方向とが互いにオフセットして成ることを特徴とする請求項７〜９の何れか１つに記載の圧力検出器。
【請求項１１】
前記ケースは、前記液相部が形成される液相部ケースと、前記気相部が形成される気相部ケースとを有して構成され、前記膜部材の取付面は、当該液相部ケース及び気相部ケースを合致させて前記膜部材を挟持した挟持面を含む仮想平面から成ることを特徴とする請求項７〜１０の何れか１つに記載の圧力検出器。
【請求項１２】
前記第１中心点と第２中心点とを結ぶ仮想線が前記接続部の中心線に対して傾斜して成ることを特徴とする請求項７〜１１の何れか１つに記載の圧力検出器。
【請求項１３】
請求項１〜１２の何れか１つの圧力検出器が接続されたことを特徴とする血液回路。
【発明の詳細な説明】
【技術分野】
【０００１】
本発明は、気相部の圧力を検出することにより流路における液体の圧力を検出し得る圧力検出器に関するものである。
【背景技術】
【０００２】
一般に、透析治療時においては、採取した患者の血液を体外循環させて再び体内に戻すための血液回路が用いられており、かかる血液回路は、例えば中空糸膜を具備したダイアライザ（血液浄化器）と接続し得る動脈側血液回路及び静脈側血液回路から主に構成されている。これら動脈側血液回路及び静脈側血液回路の各先端には、動脈側穿刺針及び静脈側穿刺針が取り付けられ、それぞれが患者に穿刺されて透析治療における血液の体外循環が行われることとなる。
【０００３】
血液回路を体外循環する血液の圧力を検出するため、例えば特許文献１にて開示されているように、血液回路に接続可能なケースと、ケース内に取り付けられ、血液回路の血液を充填し得る液相部と、空気を充填し得る気相部とを区画するとともに、液相部に充填された血液の圧力に応じて変位可能なダイヤフラム（膜部材）とを具備し、気相部の圧力を圧力検出センサにて検出することにより血液の圧力を検出し得る圧力検出器が提案されている。かかる従来の圧力検出器によれば、液相部と気相部とが膜部材にて区画されているため、血液が気相部内の空気に触れてしまうのを回避しつつ血液回路内の血液の圧力を精度よく検出することができる。
【０００４】
このような圧力検出器において、液相部内の血液の滞留を抑制するため、従来、血液を液相部に流入させる流入ポートと、液相部に流入した血液を流出させる流出ポートとをオフセットして形成し、流入口と流出口とが対向して形成されないよう構成されたものが提案されている（例えば、特許文献２参照）。かかる圧力検出器によれば、流入口から流入した血液が液相部内で攪拌された後、流出口から流出されるので、液相部内における血液の滞留を抑制することができる。
【先行技術文献】
【特許文献】
【０００５】
【特許文献１】特表２０１７−５０４３８９号公報
【特許文献２】特開２００８−１３６６７３号公報
【発明の概要】
【発明が解決しようとする課題】
【０００６】
しかしながら、上記従来の円柱形状の圧力検出器においては、流入ポート及び流出ポートの軸線が互いに平行、且つ、オフセットしているため液相部の容量が大きくなってしまい、血液回路に接続した場合のプライミングボリュームが大きくなってしまうとともに、液相部内の十分な撹拌効果を得るのが難しくなってしまうという問題がある。
【０００７】
本発明は、このような事情に鑑みてなされたもので、液相部の容量増大を抑制しつつ液相部内の液体を十分に撹拌することができる圧力検出器を提供することにある。
【課題を解決するための手段】
【０００８】
請求項１記載の発明は、液体の流路に接続可能なケースと、該ケース内に取り付けられ、前記流路の液体を充填し得る液相部と、気体を充填し得る気相部とを区画するとともに、前記液相部に充填された液体の圧力に応じて変位可能な膜部材とを具備し、前記気相部の圧力を検出することにより前記流路における液体の圧力を検出する圧力検出器において、前記液体の流路に接続可能な接続部を有するとともに、前記液相部の流入口から液体を流入させる流路部を有した流入ポートと、前記液体の流路に接続可能な接続部を有するとともに、前記液相部に流入した液体を流出口から流出させる流路部を有した流出ポートとを有し、前記流入ポートの流路部又は流出ポートの流路部のうち少なくとも一方は、その液体の流入方向又は流出方向が前記膜部材の取付面に対して傾斜して成ることを特徴とする。
【０００９】
請求項２記載の発明は、請求項１記載の圧力検出器において、少なくとも前記流入ポートの流路部は、前記液相部に向かって漸次縮径して成ることを特徴とする。
【００１０】
請求項３記載の発明は、請求項１又は請求項２記載の圧力検出器において、前記流入ポート及び流出ポートは、前記ケースの周方向に対して所定角度有して形成されたことを特徴とする。
【００１１】
請求項４記載の発明は、請求項１〜３の何れか１つに記載の圧力検出器において、前記流入ポートの流路部及び流出ポートの流路部は、液体の流入方向と流出方向とが互いにオフセットして成ることを特徴とする。
【００１２】
請求項５記載の発明は、請求項１〜４の何れか１つに記載の圧力検出器において、前記ケースは、前記液相部が形成される液相部ケースと、前記気相部が形成される気相部ケースとを有して構成され、前記膜部材の取付面は、当該液相部ケース及び気相部ケースを合致させて前記膜部材を挟持した挟持面を含む仮想平面から成ることを特徴とする。
【００１３】
請求項６記載の発明は、請求項１〜５の何れか１つに記載の圧力検出器において、前記流入ポート及び流出ポートのうち少なくとも一方は、前記接続部との境界面における前記流路部の中心位置にある第１中心点と前記境界面と平行であって前記流入口又は流出口の開口縁を含む面における前記流路部の中心位置にある第２中心点とを結ぶ仮想線が前記接続部の中心線に対して傾斜して成ることを特徴とする。
【００１４】
請求項７記載の発明は、液体の流路に接続可能なケースと、該ケース内に取り付けられ、前記流路の液体を充填し得る液相部と、気体を充填し得る気相部とを区画するとともに、前記液相部に充填された液体の圧力に応じて変位可能な膜部材とを具備し、前記気相部の圧力を検出することにより前記流路における液体の圧力を検出す圧力検出器において、前記液体の流路に接続可能な接続部を有するとともに、前記液相部の流入口から液体を流入させる流路部を有した流入ポートと、前記液体の流路に接続可能な接続部を有するとともに、前記液相部に流入した液体を流出口から流出させる流路部を有した流出ポートとを有し、前記流入ポートの流路部又は流出ポートの流路部は、その液体の流入方向又は流出方向が前記膜部材の取付面に対して平行とされ、且つ、前記流入ポート及び流出ポートの一方における前記接続部との境界面における前記流路部の中心位置にある第１中心点と前記境界面と平行であって前記流入口又は流出口の開口縁を含む面における前記流路部の中心位置にある第２中心点とを結ぶ仮想線の延長線上に前記流入ポート及び流出ポートの他方における前記第２中心点が重ならない配置とされたことを特徴とする。
【００１５】
請求項８記載の発明は、請求項７記載の圧力検出器において、少なくとも前記流入ポートの流路部は、前記液相部に向かって漸次縮径して成ることを特徴とする。
【００１６】
請求項９記載の発明は、請求項７又は請求項８記載の圧力検出器において、前記流入ポート及び流出ポートは、前記ケースの周方向に対して所定角度有して形成されたことを特徴とする。
【００１７】
請求項１０記載の発明は、請求項７〜９の何れか１つに記載の圧力検出器において、前記流入ポートの流路部及び流出ポートの流路部は、液体の流入方向と流出方向とが互いにオフセットして成ることを特徴とする。
【００１８】
請求項１１記載の発明は、請求項７〜１０の何れか１つに記載の圧力検出器において、前記ケースは、前記液相部が形成される液相部ケースと、前記気相部が形成される気相部ケースとを有して構成され、前記膜部材の取付面は、当該液相部ケース及び気相部ケースを合致させて前記膜部材を挟持した挟持面を含む仮想平面から成ることを特徴とする。
【００１９】
請求項１２記載の発明は、請求項７〜１１の何れか１つに記載の圧力検出器において、前記第１中心点と第２中心点とを結ぶ仮想線が前記接続部の中心線に対して傾斜して成ることを特徴とする。
【００２０】
請求項１３記載の発明は、請求項１〜１２の何れか１つの圧力検出器が接続されたことを特徴とする血液回路である。
【発明の効果】
【００２１】
請求項１の発明によれば、流入ポートの流路部又は流出ポートの流路部のうち少なくとも一方は、その液体の流入方向又は流出方向が膜部材の取付面に対して傾斜して成るので、液相部の容量増大を抑制しつつ液相部内の液体を十分に撹拌することができる。
【００２２】
請求項２の発明によれば、少なくとも流入ポートの流路部は、液相部に向かって漸次縮径して成るので、液相部に流入する液体の流速を増大させて液相部内の滞留を確実に抑制することができる。
【００２３】
請求項３の発明によれば、流入ポート及び流出ポートは、ケースの周方向に対して所定角度有して形成されたので、液相部の容量増大をより抑制しつつ流入口及び流出口が対向配置してしまうのを回避でき、液相部内における液体の撹拌効果をより向上させることができる。
【００２４】
請求項４の発明によれば、流入ポートの流路部及び流出ポートの流路部は、液体の流入方向と流出方向とが互いにオフセットして成るので、液相部の容量増大をより抑制しつつ液相部内における液体の撹拌効果をより向上させることができる。
【００２５】
請求項５の発明によれば、ケースは、液相部が形成される液相部ケースと、気相部が形成される気相部ケースとを有して構成され、膜部材の取付面は、当該液相部ケース及び気相部ケースを合致させて膜部材を挟持した挟持面を含む仮想平面から成るので、取付面に対して流入ポート又は流出ポートを精度よく傾斜させて形成することができる。
【００２６】
請求項６の発明によれば、流入ポート及び流出ポートのうち少なくとも一方は、接続部との境界面における流路部の中心位置にある第１中心点と境界面と平行であって流入口又は流出口の開口縁を含む面における流路部の中心位置にある第２中心点とを結ぶ仮想線が接続部の中心線に対して傾斜して成るので、液相部内における液体の撹拌効果をより向上させることができる。
【００２７】
請求項７の発明によれば、流入ポートの流路部又は流出ポートの流路部は、その液体の流入方向又は流出方向が膜部材の取付面に対して平行とされ、且つ、流入ポート及び流出ポートの一方における接続部との境界面における流路部の中心位置にある第１中心点と境界面と平行であって流入口又は流出口の開口縁を含む面における流路部の中心位置にある第２中心点とを結ぶ仮想線の延長線上に流入ポート及び流出ポートの他方における第２中心点が重ならない配置とされたので、液相部の容量増大を抑制しつつ液相部内の液体を十分に撹拌することができる。
【００２８】
請求項８の発明によれば、少なくとも流入ポートの流路部は、液相部に向かって漸次縮径して成るので、液相部に流入する液体の流速を増大させて液相部内の滞留を確実に抑制することができる。
【００２９】
請求項９の発明によれば、流入ポート及び流出ポートは、ケースの周方向に対して所定角度有して形成されたので、液相部の容量増大をより抑制しつつ流入口及び流出口が対向配置してしまうのを回避でき、液相部内における液体の撹拌効果をより向上させることができる。
【００３０】
請求項１０の発明によれば、流入ポートの流路部及び流出ポートの流路部は、液体の流入方向と流出方向とが互いにオフセットして成るので、液相部の容量増大をより抑制しつつ液相部内における液体の撹拌効果をより向上させることができる。
【００３１】
請求項１１の発明によれば、ケースは、液相部が形成される液相部ケースと、気相部が形成される気相部ケースとを有して構成され、膜部材の取付面は、当該液相部ケース及び気相部ケースを合致させて膜部材を挟持した挟持面を含む仮想平面から成るので、取付面に対して流入ポート又は流出ポートを精度よく傾斜させて形成することができる。
【００３２】
請求項１２の発明によれば、流入ポート及び流出ポートのうち少なくとも一方は、接続部との境界面における流路部の中心位置にある第１中心点と境界面と平行であって流入口又は流出口の開口縁を含む面における流路部の中心位置にある第２中心点とを結ぶ仮想線が接続部の中心線に対して傾斜して成るので、液相部内における液体の撹拌効果をより向上させることができる。
【００３３】
請求項１３の発明によれば、請求項１〜１２の何れか１つの圧力検出器の効果を有する血液回路を提供することができる。
【図面の簡単な説明】
【００３４】
【図１】本発明の第１の実施形態に係る圧力検出器が適用される透析装置（血液浄化装置）を示す模式図
【図２】同圧力検出器を示す平面図
【図３】同圧力検出器を示す正面図
【図４】図２におけるＩＶ−ＩＶ線断面図
【図５】図２におけるＶ−Ｖ線断面図（膜部材が液相部側に変位した状態）
【図６】図２におけるＶ−Ｖ線断面図（膜部材が気相部側に変位した状態）
【図７】同圧力検出器における液相部ケースに形成された流入口及び流出口を示す平面図
【図８】同圧力検出器における気相部ケース（疎水性膜が取り付けられる前の状態）を示す平面図
【図９】同圧力検出器における気相部ケース（疎水性膜が取り付けられた状態）を示す平面図
【図１０】同圧力検出器における疎水性膜の取付構造を示す断面図
【図１１】同圧力検出器における流入ポートの流路部及び流出ポートの流路部を示す断面図
【図１２】本発明の第２の実施形態に係る圧力検出器を示す平面図
【図１３】同圧力検出器を示す正面図
【図１４】図１２におけるＸＩＶ−ＸＩＶ線断面図
【図１５】本発明の第３の実施形態に係る圧力検出器を示す平面図及び正面図
【図１６】図１５におけるＸＶＩ−ＸＶＩ線断面図
【図１７】本発明の第４の実施形態に係る圧力検出器を示す平面図及び正面図
【図１８】図１７におけるＸＶＩＩＩ−ＸＶＩＩＩ線断面図
【図１９】本発明の第５の実施形態に係る圧力検出器を示す平面図及び正面図
【図２０】図１９におけるＸＸ−ＸＸ線断面図
【発明を実施するための形態】
【００３５】
以下、本発明の実施形態について図面を参照しながら具体的に説明する。
第１の実施形態に適用される血液浄化装置は、透析治療を行うための透析装置から成り、図１に示すように、動脈側血液回路１及び静脈側血液回路２から成る血液回路と、動脈側血液回路１及び静脈側血液回路２の間に介装されて血液回路を流れる血液を浄化するダイアライザ３（血液浄化器）と、血液ポンプ４と、静脈側血液回路２に配設されたエアトラップチャンバ５と、ダイアライザ３に透析液を供給及びダイアライザ３からの排液を排出させる透析装置本体６と、置換液としての生理食塩液を血液回路に供給し得る生理食塩液供給ラインＬ３（置換液供給ライン）と、置換液としての生理食塩液を収容した収容手段７とから主に構成されている。
【００３６】
動脈側血液回路１には、その先端に動脈側穿刺針ａがコネクタを介して接続可能とされるとともに、途中にしごき型の血液ポンプ４が配設されている一方、静脈側血液回路２には、その先端に静脈側穿刺針ｂがコネクタを介して接続可能とされるとともに、途中にエアトラップチャンバ５が接続されている。エアトラップチャンバ５は、液体内の気泡を捕捉し得るとともに、濾過網（不図示）が配設されており、例えば返血時の血栓等を捕捉し得るようになっている。なお、本明細書においては、血液を脱血（採血）する穿刺針の側を「動脈側」と称し、血液を返血する穿刺針の側を「静脈側」と称しており、「動脈側」及び「静脈側」とは、穿刺の対象となる血管が動脈及び静脈の何れかによって定義されるものではない。
【００３７】
血液ポンプ４は、動脈側血液回路１に配設されたしごき型ポンプから成り、正転駆動及び逆転駆動可能とされるとともに、血液回路内の液体を駆動方向に流動させ得るものである。すなわち、動脈側血液回路１には、当該動脈側血液回路１を構成する他の可撓性チューブより軟質かつ大径の被しごきチューブが接続されており、血液ポンプ４には、この被しごきチューブを送液方向にしごくためのローラが配設されているのである。このように血液ポンプ４が駆動すると、そのローラが回動して被しごきチューブ（血液回路の一部）をしごき、内部の液体を駆動方向（ローラの回転方向）に流動させることができるのである。
【００３８】
しかして、動脈側穿刺針ａ及び静脈側穿刺針ｂを患者に穿刺した状態で、血液ポンプ４を正転駆動（図中左回転）させると、患者の血液は、動脈側血液回路１を通ってダイアライザ３に至った後、該ダイアライザ３によって血液浄化が施され、エアトラップチャンバ５で除泡がなされつつ静脈側血液回路２を通って患者の体内に戻る。すなわち、患者の血液を血液回路の動脈側血液回路１の先端から静脈側血液回路２の先端まで体外循環させつつダイアライザ３にて浄化するのである。また、血液ポンプ４を逆転駆動（図中右回転）させると、血液回路（動脈側血液回路１における先端と血液ポンプ４の配設位置との間）の血液を患者に返血することができる。
【００３９】
ダイアライザ３は、その筐体部に、血液導入ポート３ａ、血液導出ポート３ｂ、透析液導入ポート３ｃ及び透析液導出ポート３ｄが形成されており、このうち血液導入ポート３ａには動脈側血液回路１が、血液導出ポート３ｂには静脈側血液回路２がそれぞれ接続されている。また、透析液導入ポート３ｃ及び透析液導出ポート３ｄは、透析装置本体６から延設された透析液導入ラインＬ１及び透析液排出ラインＬ２とそれぞれ接続されている。
【００４０】
ダイアライザ３内には、複数の中空糸が収容されており、該中空糸内部が血液の流路とされるとともに、中空糸外周面と筐体部の内周面との間が透析液の流路とされている。中空糸には、その外周面と内周面とを貫通した微少な孔（ポア）が多数形成されて中空糸膜を形成しており、当該中空糸膜を介して血液中の不純物等が透析液内に透過し得るよう構成されている。
【００４１】
一方、透析装置本体６には、透析液導入ラインＬ１及び透析液排出ラインＬ２に跨って複式ポンプ等の送液手段が配設されているとともに、当該送液手段をバイパスするバイパスラインにはダイアライザ３中を流れる患者の血液から水分を除去するための除水ポンプが配設されている。さらに、透析液導入ラインＬ１の一端がダイアライザ３（透析液導入ポート３ｃ）に接続されるとともに、他端が所定濃度の透析液を調製する透析液供給装置（不図示）に接続されている。また、透析液排出ラインＬ２の一端は、ダイアライザ３（透析液導出ポート３ｄ）に接続されるとともに、他端が図示しない排液手段と接続されており、透析液供給装置から供給された透析液が透析液導入ラインＬ１を通ってダイアライザ３に至った後、透析液排出ラインＬ２を通って排液手段に送られるようになっている。
【００４２】
なお、エアトラップチャンバ５の上部からは、オーバーフローラインが延設されており、その途中に電磁弁等のクランプ手段が配設されている。そして、電磁弁等のクランプ手段を開状態とすることにより、オーバーフローラインを介して、血液回路中を流れる液体（プライミング液等）をオーバーフローし得るようになっている。
【００４３】
生理食塩液供給ラインＬ３（置換液供給ライン）は、動脈側血液回路１における血液ポンプ４の配設位置と当該動脈側血液回路１の先端との間においてＴ字管等にて一端が接続され、血液回路内の血液と置換させるための生理食塩液（置換液）を当該動脈側血液回路１に供給可能な流路（例えば可撓性チューブ等）から成るものである。かかる生理食塩液供給ラインＬ３の他端には、所定量の生理食塩液を収容した収容手段７（所謂「生食バッグ」）が接続されているとともに、途中には、エアトラップチャンバ８が接続されている。
【００４４】
また、本実施形態に係る生理食塩液供給ラインＬ３には、クランプ手段９（例えば電磁弁等）が配設されている。かかるクランプ手段９は、生理食塩液供給ラインＬ３を開閉可能として設けられ、流路の閉塞及び開放を行わせ得るもので、当該クランプ手段９を開閉させることにより、生理食塩液供給ラインＬ３の流路を閉塞させる閉塞状態と生理食塩液（置換液）を流通させ得る流通状態とを任意に切り替え可能とされている。なお、このようなクランプ手段９に代えて、手動操作により生理食塩液供給ラインＬ３の流路を閉塞及び開放し得る鉗子等の汎用手段としてもよい。
【００４５】
ここで、本実施形態に適用される血液回路には、圧力検出器１０が接続されている。かかる圧力検出器１０は、静脈側血液回路２におけるダイアライザ３とエアトラップチャンバ５との間の位置に接続され、静脈側血液回路２（血液回路）を流れる血液の圧力を検出し得るよう構成されている。具体的には、圧力検出器１０は、図２〜６に示すように、液体の流路（本実施形態においては、静脈側血液回路２（血液回路））に接続可能なケースＣと、ケースＣ内に取り付けられ、流路の液体（本実施形態においては、静脈側血液回路２（血液回路）の血液）を充填し得る液相部Ｓ１と、空気を充填し得る気相部Ｓ２とを区画するとともに、液相部Ｓ１に充填された液体（血液）の圧力に応じて変位可能な膜部材Ｍとを具備し、気相部Ｓ２の圧力を圧力検出センサＰで検出することにより流路（静脈側血液回路２）における液体の圧力を検出し得るようになっている。
【００４６】
ケースＣは、所定の樹脂材等を成形して得られた中空状成形部品から成り、液相部Ｓ１を構成する液相部ケースＣａと、気相部Ｓ２を構成する気相部ケースＣｂとを組み合わせて構成されている。液相部ケースＣａは、液体の流路と接続可能とされて液相部Ｓ１と連通させ得る流入ポートＣ１及び流出ポートＣ２が一体形成されるとともに、気相部ケースＣｂは、後述する配管部Ｋの一端と接続可能とされて気相部Ｓ２と連通させ得る接続ポートＣ３が一体形成されている。なお、流入ポートＣ１及び流出ポートＣ２は、液体の流入と流出が逆（すなわち、流入ポートＣ１により液体が流出し、流出ポートＣ２により液体が流入する構成）になってもよい。
【００４７】
また、液相部ケースＣａの外周縁部には、円環状の挟持面ｍ１（図７参照）が形成されるとともに、気相部ケースＣｂの外周縁部には円環状の挟持面ｍ２（図８、９参照）が形成されており、液相部ケースＣａ及び気相部ケースＣｂを合致して組み付ける際、挟持面ｍ１と挟持面ｍ２との間に膜部材Ｍの外周部Ｍａを挟持させることにより、膜部材Ｍをシールしつつ取付可能とされている。しかして、ケースＣの内部形成された空間は、膜部材Ｍによって液相部Ｓ１及び気相部Ｓ２に区画（画成）されている。
【００４８】
膜部材Ｍは、ケースＣ内に取り付けられたダイヤフラムから成り、液相部Ｓ１又は気相部Ｓ２の圧力変化に追従して変位又は変形可能な柔軟な材料にて形成されている。すなわち、液相部Ｓ１内の液体の圧力（液圧）が小さい場合、図５に示すように、膜部材Ｍが液相部Ｓ１側に変位して気相部Ｓ２の容量が増大するとともに、液相部Ｓ１内の液体の圧力（液圧）が大きい場合、図６に示すように、膜部材Ｍが気相部Ｓ２側に変位して気相部Ｓ２の容量が減少するようになっている。
【００４９】
さらに、気相部ケースＣｂには、その底面の略中央に開口Ｃｂ１（図８参照）が形成されている。かかる開口Ｃｂ１は、気相部ケースＣｂの内周面（底面）に形成されて接続ポートＣ３の流路と気相部Ｓ２とを連通させ、膜部材Ｍの変位に応じて気相部Ｓ２の空気（気体）を流入又は流出させ得るようになっている。しかして、配管Ｋの一端を接続ポートＣ３に接続し、他端を圧力検出センサＰに接続することにより、膜部材Ｍの変位に応じて開口Ｃｂ１から空気（気体）を流入又は流出させ、気相部Ｓ２の圧力を圧力検出センサＰにて検出することができるのである。なお、接続ポートＣ３は、配管Ｋに接続されるものに限らず、気相部Ｓ２の圧力を圧力センサＰに伝えることができる他の手段に接続されるものとしてもよい。
【００５０】
またさらに、本実施形態に係る気相部ケースＣｂは、その底面の開口Ｃｂ１の周りに凹部Ｃｂ４が形成されるとともに、図８〜１０に示すように、開口Ｃｂ１を含む凹部Ｃｂ４を覆って疎水性膜Ｂが取り付けられている。疎水性膜Ｂは、気体の通過を許容しつつ液体の通過を遮断する膜状に成形された部材から成り、その外周縁部が開口Ｃｂ１の周囲に形成された凸部Ｃｂ３に対して溶着（例えば、超音波溶着等）されて取り付けられている。
【００５１】
凹部Ｃｂ４には、図８に示すように、開口Ｃｂ１を中心として放射状に突出した複数のリブＣｂ２が形成されており、疎水性膜Ｂの開口Ｃｂ１側への撓みを制限し得るようになっている。すなわち、疎水性膜Ｂが開口Ｃｂ１側（凹部Ｃｂ４側）に撓むとリブＣｂ２と当接してそれ以上の撓みが制限されるので、開口Ｃｂ１の周囲の空間（凹部Ｃｂ４が成す空間）を保持することができ、膜部材Ｍの変位過程において開口Ｃｂ１が閉塞してしまうのを防止することができるのである。
【００５２】
本実施形態に係る流入ポートＣ１は、液体の流路（血液回路）に接続可能な部位（突出部）から成るとともに、図４、１１に示すように、液相部Ｓ１の流入口Ｃａ１（図７参照）から液体（血液）を流入させる流路部Ｃ１ａと、流路（血液回路）と接続し得る接続部Ｃ１ｂとを有して構成されている。すなわち、流路部Ｃ１ａ及び接続部Ｃ１ｂは、流入ポートＣ１を構成する突出部内において軸方向に連通して形成されており、接続部Ｃ１ｂに流路を構成するチューブを接続することにより、流路の液体を流路部Ｃ１ａにて流通させ、流入口Ｃａ１から液相部Ｓ１に流入させることができるのである。なお、流入ポートＣ１は、流路を構成するチューブを接続する凹形状であってもよい。
【００５３】
本実施形態に係る流出ポートＣ２は、液体の流路（血液回路）に接続可能な部位（突出部）から成るとともに、同図に示すように、液相部Ｓ１に流入した液体（血液）を流出口Ｃａ２（図７参照）から流出させる流路部Ｃ２ａと、流路（血液回路）と接続し得る接続部Ｃ２ｂとを有して構成されている。すなわち、流路部Ｃ２ａ及び接続部Ｃ２ｂは、流出ポートＣ２を構成する突出部内において軸方向に連通して形成されており、接続部Ｃ２ｂに流路を構成するチューブを接続することにより、液相部Ｓ１に流入した液体を流路部Ｃ２ａにて流通させ、下流側の流路（血液回路）に流出させることができるのである。なお、流出ポートＣ２は、流路を構成するチューブを接続する凹形状であってもよい。
【００５４】
ここで、本実施形態に係る流入ポートＣ１の流路部Ｃ１ａ及び流出ポートＣ２の流路部Ｃ２ａは、図１１に示すように、液体の流入方向α及び流出方向βが膜部材Ｍの取付面Ｑに対して傾斜するよう設定されている。具体的には、本実施形態に係る取付面Ｑは、膜部材Ｍを挟持した挟持面ｍ１を含む仮想平面から成り、かかる取付面Ｑを基準とすると、流入ポートＣ１の流路部Ｃ１ａは、接続部Ｃ１ｂから液相部Ｓ１に向かって下方に傾斜する方向（流入方向α）に液体を流入可能とされており、流出ポートＣ２の流路部Ｃ２ａは、液相部Ｓ１から接続部Ｃ２ｂに向かって下方に傾斜する方向（流出方向β）に液体を流出可能とされている。
【００５５】
なお、本実施形態においては、流入ポートＣ１の流路部Ｃ１ａ及び流出ポートＣ２の流路部Ｃ２ａは、その液体の流入方向α及び流出方向βが膜部材Ｍの取付面Ｑに対して傾斜するよう構成されているが、流入ポートＣ１の流路部Ｃ１ａ又は流出ポートＣ２の流路部Ｃ２ａのうち少なくとも一方が、その液体の流入方向α又は流出方向βが膜部材Ｍの取付面Ｑに対して傾斜していれば足りる。
【００５６】
しかるに、液体の流入方向α又は流出方向βを傾斜させる基準である膜部材Ｍの取付面Ｑは、図５、６に示すように、上記の如く液相部ケースＣａの挟持面ｍ１を含む仮想平面Ｑ１の他、気相部ケースＣｂの挟持面ｍ２を含む仮想平面Ｑ２、或いは膜部材Ｍの外周部Ｍａにおける高さ方向中央面を含む仮想平面Ｑ３であってもよい。すなわち、本願発明においては、液相部ケースＣａの挟持面ｍ１を含む取付面Ｑ１、気相得ケースＣｂの挟持面ｍ２を含む取付面Ｑ２、又は膜部材Ｍの外周部Ｍａにおける高さ方向中央面を含む仮想平面Ｑ３の何れかから成る取付面Ｑに対して液体の流入方向α又は流出方向βを傾斜させているのである。
【００５７】
また、本実施形態に係る流入ポートＣ１及び流出ポートＣ２は、図２に示すように、ケースＣの周方向に対して所定角度ｆを有して突出形成されている。なお、気相部ケースＣａにおける流入口Ｃａ１と流出口Ｃａ２との間には、これら流入口Ｃａ１及び流出口Ｃａ２を連通する連通凹部Ｃａ３（図７参照）が形成されている。これにより、膜部材Ｍが気相部ケースＣｂの内周面に接触する位置まで変位しても、連通凹部Ｃａ３によって流入口Ｃａ１と流出口Ｃａ２との間の液体の流通を確保し得るようになっている。
【００５８】
さらに、本実施形態に係る流入ポートＣ１の流路部Ｃ１ａ及び流出ポートＣ２の流路部Ｃ２ａは、図１１に示すように、液体の流入方向αと流出方向βとが互いにオフセットして成るよう構成されている。具体的には、同図に示すように、流入ポートＣ１の流路部Ｃ１ａは、液体の流入方向αが液相部Ｓ１に向かって下方に傾斜するとともに、流出ポートＣ２の流路部Ｃ２ａは、液体の流出方向βが液体の流入方向αとオフセットしている（互いの方向がずれている）のである。
【００５９】
しかるに、本実施形態においては、図１１に示すように、流入ポートＣ１及び流出ポートＣ２は、接続部（Ｃ１ｂ、Ｃ２ｂ）との境界面Ｘ１における流路部（Ｃ１ａ、Ｃ２ａ）の中心位置にある第１中心点Ｐａと境界面Ｘ１と平行であって流入口Ｃａ１又は流出口Ｃａ２の開口縁を含む面Ｘ２における流路部（Ｃ１ａ、Ｃ２ａ）の中心位置にある第２中心点Ｐｂとを結ぶ仮想線Ｌｂが接続部（Ｃ１ｂ、Ｃ２ｂ）の中心線Ｌａ（軸線）に対して側面子で傾斜して成るものとされている。なお、本実施形態においては、流入ポートＣ１及び流出ポートＣ２の何れも上記形状とされているが、流入ポートＣ１及び流出ポートＣ２のうち少なくとも一方が上記形状とされていれば足りる。
【００６０】
またさらに、本実施形態に係る流入ポートＣ１の流路部Ｃ１ａ及び流出ポートＣ２の流路部Ｃ２ａは、図１１に示すように、液相部Ｓ１に向かって漸次縮径して成るよう構成されている。具体的には、同図に示すように、流入ポートＣ１の流路部Ｃ１ａは、接続部Ｃ１ｂに近い部位の径ｄ１より液相部Ｓ１に近い部位の径ｄ２の方が小さく形成されるとともに、流出ポートＣ２の流路部Ｃ２ａは、接続部Ｃ２ｂに近い部位の径ｄ３より液相部Ｓ１に近い部位の径ｄ４の方が小さく形成されているのである。
【００６１】
なお、本実施形態においては、流入ポートＣ１の流路部Ｃ１ａ及び流出ポートＣ２の流路部Ｃ２ａは、液相部Ｓ１に向かって漸次縮径して成るよう構成されているが、少なくとも流入ポートＣ１の流路部Ｃ１ａが液相部Ｓ１に向かって漸次縮径していれば足り、流出ポートＣ２の流路部Ｃ２ａが縮径しないものとしてもよい。また、少なくとも流入ポートＣ１の流路部Ｃ１ａが液相部Ｓ１に向かって漸次縮径する場合、本実施形態の如く連続的に縮径するもの、或いは段階的に縮径するものであってもよい。
【００６２】
本実施形態によれば、流入ポートＣ１の流路部Ｃ１ａ又は流出ポートＣ２の流路部Ｃ２ａのうち少なくとも一方は、その液体の流入方向α又は流出方向βが膜部材Ｍの取付面Ｑに対して傾斜して成るので、液相部Ｓ１の容量増大を抑制しつつ液相部Ｓ１内の血液（液体）を十分に撹拌することができる。また、少なくとも流入ポートＣ１の流路部Ｃ１ａは、液相部Ｓ１に向かって漸次縮径して成るので、液相部Ｓ１に流入する血液（液体）の流速を増大させて液相部Ｓ１内の滞留を確実に抑制することができる。また、少なくとも流入ポートＣ１の流路部Ｃ１ａは、液相部Ｓ１に向かって漸次縮径して成るので、液相部Ｓ１に流入する血液（液体）の流速を増大させつつ液相部Ｓ１にて渦流を生じさせることができる。
【００６３】
さらに、本実施形態に係る流入ポートＣ１及び流出ポートＣ２は、ケースＣ（液相部ケースＣａ）の周方向に対して所定角度ｆを有して突出形成されたので、液相部Ｓ１の容量増大をより抑制しつつ流入口Ｃａ１及び流出口Ｃａ２が対向配置してしまうのを回避でき、液相部Ｓ１内における血液（液体）の撹拌効果をより向上させることができる。
【００６４】
またさらに、本実施形態に係る流入ポートＣ１の流路部Ｃ１ａ及び流出ポートＣ２の流路部Ｃ２ａは、液体の流入方向αと流出方向βとが互いにオフセットして成るので、液相部Ｓ１の容量増大をより抑制しつつ液相部Ｓ１内における血液（液体）の撹拌効果をより向上させることができる。
【００６５】
また、本実施形態に係るケースＣは、液相部Ｓ１が形成される液相部ケースＣａと、気相部Ｓ２が形成される気相部ケースＣｂとを有して構成され、膜部材Ｍの取付面Ｑは、当該液相部ケースＣａ及び気相部ケースＣｂを合致させて膜部材Ｍを挟持した挟持面（ｍ１、ｍ２）を含む仮想平面から成るので、取付面Ｑに対して流入ポートＣ１又は流出ポートＣ２を精度よく傾斜させて形成することができる。
【００６６】
またさらに、流入ポートＣ１及び流出ポートＣ２のうち少なくとも一方は、接続部（Ｃ１ｂ、Ｃ２ｂ）との境界面Ｘ１における流路部（Ｃ１ａ、Ｃ２ａ）の中心位置にある第１中心点Ｐａと境界面Ｘ１と平行であって流入口Ｃａ１又は流出口Ｃａ２の開口縁を含む面Ｘ２における流路部（Ｃ１ａ、Ｃ２ａ）の中心位置にある第２中心点Ｐｂとを結ぶ仮想線Ｌｂが接続部（Ｃ１ｂ、Ｃ２ｂ）の中心線Ｌａに対して傾斜して成るので、液相部Ｓ１内における液体の撹拌効果をより向上させることができる。さらに、本実施形態によれば、上記のような圧力検出器１０の効果を有する血液回路を提供することができる。
【００６７】
次に、本発明の第２の実施形態に係る圧力検出器について説明する。
本実施形態に係る圧力検出器は、第１の実施形態と同様の血液浄化装置に適用されるもので、図１に示すように、静脈側血液回路２におけるダイアライザ３とエアトラップチャンバ５との間の位置に接続され、静脈側血液回路２（血液回路）を流れる血液の圧力を検出し得るよう構成されている。
【００６８】
本実施形態に係る圧力検出器１０は、図１２〜１４に示すように、液体の流路（本実施形態においては、静脈側血液回路２（血液回路））に接続可能なケースＣと、ケースＣ内に取り付けられ、流路の液体（本実施形態においては静脈側血液回路２（血液回路）の血液）を充填し得る液相部Ｓ１と、空気を充填し得る気相部Ｓ２とを区画するとともに、液相部Ｓ１に充填された液体（血液）の圧力に応じて変位可能な膜部材Ｍとを具備し、気相部Ｓ２の圧力を圧力検出センサＰで検出することにより流路（静脈側血液回路２）における液体の圧力を検出し得るようになっている。なお、第１の実施形態と同様の構成要素には、同一の符号を付し、それらの詳細な説明を省略する。
【００６９】
本実施形態に係る流入ポートＣ４は、液体の流路（血液回路）に接続可能な部位（突出部）から成るとともに、図１４に示すように、液相部Ｓ１の流入口Ｃａ１から液体（血液）を流入させる流路部Ｃ４ａと、流路（血液回路）と接続し得る接続部Ｃ４ｂとを有して構成されている。すなわち、流路部Ｃ４ａ及び接続部Ｃ４ｂは、流入ポートＣ４を構成する突出部内において軸方向に連通して形成されており、接続部Ｃ４ｂに流路を構成するチューブを接続することにより、流路の液体を流路部Ｃ４ａにて流通させ、流入口Ｃａ１から液相部Ｓ１に流入させることができるのである。なお、流入ポートＣ４は、流路を構成するチューブを接続する凹形状であってもよい。
【００７０】
本実施形態に係る流出ポートＣ５は、液体の流路（血液回路）に接続可能な部位（突出部）から成るとともに、同図に示すように、液相部Ｓ１に流入した液体（血液）を流出口Ｃａ２から流出させる流路部Ｃ５ａと、流路（血液回路）と接続し得る接続部Ｃ５ｂとを有して構成されている。すなわち、流路部Ｃ５ａ及び接続部Ｃ５ｂは、流出ポートＣ５を構成する突出部内において軸方向に連通して形成されており、接続部Ｃ５ｂに流路を構成するチューブを接続することにより、液相部Ｓ１に流入した液体を流路部Ｃ５ａにて流通させ、下流側の流路（血液回路）に流出させることができるのである。なお、流出ポートＣ５は、流路を構成するチューブを接続する凹形状であってもよい。
【００７１】
ここで、第１の実施形態と同様、本実施形態に係る流入ポートＣ４の流路部Ｃ４ａ及び流出ポートＣ５の流路部Ｃ５ａは、図１４に示すように、液体の流入方向α及び流出方向βが膜部材Ｍの取付面Ｑに対して傾斜するよう設定されている。具体的には、本実施形態に係る取付面Ｑは、膜部材Ｍを挟持した挟持面ｍ２を含む仮想平面から成り、かかる取付面Ｑを基準とすると、流入ポートＣ１の流路部Ｃ１ａは、接続部Ｃ１ｂから液相部Ｓ１に向かって下方に傾斜する方向（流入方向α）に液体を流入可能とされており、流出ポートＣ２の流路部Ｃ２ａは、液相部Ｓ１から接続部Ｃ２ｂに向かって下方に傾斜する方向（流出方向β）に液体を流出可能とされている。
【００７２】
なお、本実施形態においては、流入ポートＣ４の流路部Ｃ４ａ及び流出ポートＣ５の流路部Ｃ５ａは、その液体の流入方向α及び流出方向βが膜部材Ｍの取付面Ｑに対して傾斜するよう構成されているが、流入ポートＣ４の流路部Ｃ４ａ又は流出ポートＣ５の流路部Ｃ５ａのうち少なくとも一方が、その液体の流入方向α又は流出方向βが膜部材Ｍの取付面Ｑに対して傾斜していれば足りる。
【００７３】
さらに、本実施形態に係る流入ポートＣ４の流路部Ｃ４ａ及び流出ポートＣ５の流路部Ｃ５ａは、図１４に示すように、液体の流入方向αと流出方向βとが互いにオフセットして成り、そのオフセット量が液相部Ｓ１に向かって漸次大きくなるよう構成されている。具体的には、同図に示すように、流入ポートＣ４の流路部Ｃ４ａは、液体の流入方向αが液相部Ｓ１に向かって下方に傾斜するとともに、流出ポートＣ５の流路部Ｃ５ａは、液体の流出方向βが液体の流入方向αとオフセットしつつ液相部Ｓ１に向かって上方に傾斜しているので、流入方向αと流出方向βのオフセット量が液相部Ｓ１に向かって漸次大きくなるよう構成されているのである。
【００７４】
本実施形態によれば、流入ポートＣ４の流路部Ｃ４ａ又は流出ポートＣ５の流路部Ｃ５ａのうち少なくとも一方は、その液体の流入方向α又は流出方向βが膜部材Ｍの取付面Ｑに対して傾斜して成るので、液相部Ｓ１の容量増大を抑制しつつ液相部Ｓ１内の血液（液体）を十分に撹拌することができる。また、本実施形態に係る流入ポートＣ４の流路部Ｃ４ａ及び流出ポートＣ５の流路部Ｃ５ａは、液体の流入方向αと流出方向βとが互いにオフセットして成り、そのオフセット量が液相部Ｓ１に向かって漸次大きくなるよう形成されたので、液相部Ｓ１の容量増大をより抑制しつつ流入口Ｃａ１及び流出口Ｃａ２の離間寸法を大きくして液相部Ｓ１内における血液（液体）の撹拌効果をより向上させることができる。
【００７５】
また、本実施形態に係るケースＣは、液相部Ｓ１が形成される液相部ケースＣａと、気相部Ｓ２が形成される気相部ケースＣｂとを有して構成され、膜部材Ｍの取付Ｑは、当該液相部ケースＣａ及び気相部ケースＣｂを合致させて膜部材Ｍを挟持した挟持面（ｍ１、ｍ２）を含む仮想平面から成るので、取付面Ｑに対して流入ポートＣ４又は流出ポートＣ５を精度よく傾斜させて形成することができる。さらに、本実施形態によれば、上記のような圧力検出器１０の効果を有する血液回路を提供することができる。
【００７６】
次に、本発明の第３の実施形態に係る圧力検出器について説明する。
本実施形態に係る圧力検出器は、第１、２の実施形態と同様の血液浄化装置に適用されるもので、図１に示すように、静脈側血液回路２におけるダイアライザ３とエアトラップチャンバ５との間の位置に接続され、静脈側血液回路２（血液回路）を流れる血液の圧力を検出し得るよう構成されている。
【００７７】
本実施形態に係る圧力検出器１０は、図１５、１６に示すように、液体の流路（本実施形態においては、静脈側血液回路２（血液回路））に接続可能なケースＣと、ケースＣ内に取り付けられ、流路の液体（本実施形態においては静脈側血液回路２（血液回路）の血液）を充填し得る液相部Ｓ１と、空気を充填し得る気相部Ｓ２とを区画するとともに、液相部Ｓ１に充填された液体（血液）の圧力に応じて変位可能な膜部材Ｍとを具備し、気相部Ｓ２の圧力を圧力検出センサＰで検出することにより流路（静脈側血液回路２）における液体の圧力を検出し得るようになっている。なお、第１の実施形態と同様の構成要素には、同一の符号を付し、それらの詳細な説明を省略する。
【００７８】
本実施形態においては、流入ポートＣ１の流路部Ｃ１ａ及び流出ポートＣ２の流路部Ｃ２ａが一端から他端まで略同一径の流路とされたもので、これら流入ポートＣ１及び流出ポートＣ２は、接続部（Ｃ１ｂ、Ｃ２ｂ）との境界面Ｘ１における流路部（Ｃ１ａ、Ｃ２ａ）の中心位置にある第１中心点Ｐａと境界面Ｘ１と平行であって流入口Ｃａ１又は流出口Ｃａ２の開口縁を含む面Ｘ２における流路部（Ｃ１ａ、Ｃ２ａ）の中心位置にある第２中心点Ｐｂとを結ぶ仮想線Ｌｂが接続部（Ｃ１ｂ、Ｃ２ｂ）の中心線Ｌａ（軸線）に対して傾斜して成るものとされている。なお、本実施形態においては、流入ポートＣ１及び流出ポートＣ２の何れも上記形状とされているが、流入ポートＣ１及び流出ポートＣ２のうち少なくとも一方が上記形状とされていれば足りる。
【００７９】
本実施形態によれば、流入ポートＣ１の流路部Ｃ１ａ又は流出ポートＣ２の流路部Ｃ２ａのうち少なくとも一方は、その液体の流入方向α又は流出方向βが膜部材Ｍの取付面Ｑに対して傾斜して成るので、液相部Ｓ１の容量増大を抑制しつつ液相部Ｓ１内の血液（液体）を十分に撹拌することができる。特に、流入ポートＣ１及び流出ポートＣ２のうち少なくとも一方は、接続部（Ｃ１ｂ、Ｃ２ｂ）との境界面Ｘ１における流路部（Ｃ１ａ、Ｃ２ａ）の中心位置にある第１中心点Ｐａと境界面Ｘ１と平行であって流入口Ｃａ１又は流出口Ｃａ２の開口縁を含む面Ｘ２における流路部（Ｃ１ａ、Ｃ２ａ）の中心位置にある第２中心点Ｐｂとを結ぶ仮想線Ｌｂが接続部（Ｃ１ｂ、Ｃ２ｂ）の中心線Ｌａに対して傾斜して成るので、液相部Ｓ１内における液体の撹拌効果をより向上させることができる。
【００８０】
次に、本発明の第４の実施形態に係る圧力検出器について説明する。
本実施形態に係る圧力検出器は、第１〜３の実施形態と同様の血液浄化装置に適用されるもので、図１に示すように、静脈側血液回路２におけるダイアライザ３とエアトラップチャンバ５との間の位置に接続され、静脈側血液回路２（血液回路）を流れる血液の圧力を検出し得るよう構成されている。
【００８１】
本実施形態に係る圧力検出器１０は、図１７、１８に示すように、液体の流路（本実施形態においては、静脈側血液回路２（血液回路））に接続可能なケースＣと、ケースＣ内に取り付けられ、流路の液体（本実施形態においては静脈側血液回路２（血液回路）の血液）を充填し得る液相部Ｓ１と、空気を充填し得る気相部Ｓ２とを区画するとともに、液相部Ｓ１に充填された液体（血液）の圧力に応じて変位可能な膜部材Ｍとを具備し、気相部Ｓ２の圧力を圧力検出センサＰで検出することにより流路（静脈側血液回路２）における液体の圧力を検出し得るようになっている。なお、第１の実施形態と同様の構成要素には、同一の符号を付し、それらの詳細な説明を省略する。
【００８２】
本実施形態においては、図１８に示すように、流入ポートＣ１の流路部Ｃ１ａ又は流出ポートＣ２の流路部Ｃ２ａは、その液体の流入方向α又は流出方向βが膜部材Ｍの取付面Ｑに対して平行とされ、且つ、流入ポートＣ１及び流出ポートＣ２の一方における接続部（Ｃ１ｂ、Ｃ２ｂ）との境界面Ｘ１における流路部（Ｃ１ａ、Ｃ２ａ）の中心位置にある第１中心点Ｐ２ａと境界面Ｘ１と平行であって流入口Ｃａ１又は流出口Ｃａ２の開口縁を含む面Ｘ２における流路部（Ｃ１ａ、Ｃ２ａ）の中心位置にある第２中心点Ｐｂとを結ぶ仮想線Ｌｂの延長線上に流入ポートＣ１及び流出ポートＣ２の他方における第２中心点Ｐｂが平面視で重ならない配置とされている。
【００８３】
さらに、本実施形態に係る流入ポートＣ１の流路部Ｃ１ａ及び流出ポートＣ２の流路部Ｃ２ａは、図１７に示すように、液相部Ｓ１に向かって漸次縮径して成るよう構成されている。具体的には、同図に示すように、流入ポートＣ１の流路部Ｃ１ａは、接続部Ｃ１ｂに近い部位の径寸法より液相部Ｓ１に近い部位の径寸法の方が小さく形成されるとともに、流出ポートＣ２の流路部Ｃ２ａは、接続部Ｃ２ｂに近い部位の径寸法より液相部Ｓ１に近い部位の径寸法の方が小さく形成されているのである。
【００８４】
なお、本実施形態においては、流入ポートＣ１の流路部Ｃ１ａ及び流出ポートＣ２の流路部Ｃ２ａは、液相部Ｓ１に向かって漸次縮径して成るよう構成されているが、少なくとも流入ポートＣ１の流路部Ｃ１ａが液相部Ｓ１に向かって漸次縮径していれば足り、流出ポートＣ２の流路部Ｃ２ａが縮径しないものとしてもよい。また、少なくとも流入ポートＣ１の流路部Ｃ１ａが液相部Ｓ１に向かって漸次縮径する場合、本実施形態の如く連続的に縮径するもの、或いは段階的に縮径するものであってもよい。
【００８５】
本実施形態によれば、流入ポートＣ１の流路部Ｃ１ａ又は流出ポートＣ２の流路部Ｃ２ａは、その液体の流入方向α又は流出方向βが膜部材Ｍの取付面Ｑに対して平行とされ、且つ、流入ポートＣ１及び流出ポートＣ２の一方における接続部（Ｃ１ｂ、Ｃ２ｂ）との境界面Ｘ１における流路部（Ｃ１ａ、Ｃ２ａ）の中心位置にある第１中心点Ｐａと境界面Ｘ１と平行であって流入口Ｃａ１又は流出口Ｃａ２の開口縁を含む面Ｘ２における流路部（Ｃ１ａ、Ｃ２ａ）の中心位置にある第２中心点Ｐｂとを結ぶ仮想線Ｌｂの延長線上に流入ポートＣ１及び流出ポートＣ２の他方における第２中心点Ｐｂが重ならない配置とされたので、液相部Ｓ１の容量増大を抑制しつつ液相部Ｓ１内の液体を十分に撹拌することができる。特に、少なくとも流入ポートＣ２の流路部Ｃ２ａは、液相部Ｓ１に向かって漸次縮径して成るので、液相部Ｓ１に流入する液体の流速を増大させて液相部Ｓ１内の滞留を確実に抑制することができる。
【００８６】
次に、本発明の第５の実施形態に係る圧力検出器について説明する。
本実施形態に係る圧力検出器は、第１〜３の実施形態と同様の血液浄化装置に適用されるもので、図１に示すように、静脈側血液回路２におけるダイアライザ３とエアトラップチャンバ５との間の位置に接続され、静脈側血液回路２（血液回路）を流れる血液の圧力を検出し得るよう構成されている。
【００８７】
本実施形態に係る圧力検出器１０は、図１９、２０に示すように、液体の流路（本実施形態においては、静脈側血液回路２（血液回路））に接続可能なケースＣと、ケースＣ内に取り付けられ、流路の液体（本実施形態においては静脈側血液回路２（血液回路）の血液）を充填し得る液相部Ｓ１と、空気を充填し得る気相部Ｓ２とを区画するとともに、液相部Ｓ１に充填された液体（血液）の圧力に応じて変位可能な膜部材Ｍとを具備し、気相部Ｓ２の圧力を圧力検出センサＰで検出することにより流路（静脈側血液回路２）における液体の圧力を検出し得るようになっている。なお、第１の実施形態と同様の構成要素には、同一の符号を付し、それらの詳細な説明を省略する。
【００８８】
本実施形態においては、図２０に示すように、流入ポートＣ１の流路部Ｃ１ａ又は流出ポートＣ２の流路部Ｃ２ａは、その液体の流入方向α又は流出方向βが膜部材Ｍの取付面Ｑに対して平行とされ、且つ、流入ポートＣ１及び流出ポートＣ２の一方における接続部（Ｃ１ｂ、Ｃ２ｂ）との境界面Ｘ１における流路部（Ｃ１ａ、Ｃ２ａ）の中心位置にある第１中心点Ｐ２ａと境界面Ｘ１と平行であって流入口Ｃａ１又は流出口Ｃａ２の開口縁を含む面Ｘ２における流路部（Ｃ１ａ、Ｃ２ａ）の中心位置にある第２中心点Ｐｂとを結ぶ仮想線Ｌｂの延長線上に流入ポートＣ１及び流出ポートＣ２の他方における第２中心点Ｐｂが平面視で重ならない配置とされている。
【００８９】
本実施形態によれば、流入ポートＣ１の流路部Ｃ１ａ又は流出ポートＣ２の流路部Ｃ２ａは、その液体の流入方向α又は流出方向βが膜部材Ｍの取付面Ｑに対して平行とされ、且つ、流入ポートＣ１及び流出ポートＣ２の一方における接続部（Ｃ１ｂ、Ｃ２ｂ）との境界面Ｘ１における流路部（Ｃ１ａ、Ｃ２ａ）の中心位置にある第１中心点Ｐａと境界面Ｘ１と平行であって流入口Ｃａ１又は流出口Ｃａ２の開口縁を含む面Ｘ２における流路部（Ｃ１ａ、Ｃ２ａ）の中心位置にある第２中心点Ｐｂとを結ぶ仮想線Ｌｂの延長線上に流入ポートＣ１及び流出ポートＣ２の他方における第２中心点Ｐｂが重ならない配置とされたので、液相部Ｓ１の容量増大を抑制しつつ液相部Ｓ１内の液体を十分に撹拌することができる。
【００９０】
以上、本実施形態について説明したが、本発明はこれに限定されるものではなく、血液回路における他の位置（例えば、動脈側血液回路１における先端と血液ポンプ４との間の位置、動脈側血液回路１における血液ポンプ４とダイアライザ３との間の位置）に接続された圧力検出器１０であってもよい。本圧力検出器１０が接続される血液回路は、他の形態のものであってもよく、例えばエアトラップチャンバ５が接続されず、代わりに本圧力検出器１０が接続されるものであってもよい。
【００９１】
また、本実施形態においては、気相部ケースＣｂの開口Ｃｂ１の周りに凹部Ｃｂ４が形成されるとともに、開口Ｃｂ１を含む凹部Ｃｂ４を覆って疎水性膜Ｂが取り付けられているが、凹部Ｃｂ４を形成せず疎水性膜Ｂが取り付けられないものとしてもよい。さらに、本実施形態においては、開口Ｃｂ１を中心として放射状に突出した複数のリブＣｂ２が形成されているが、このようなリブＣｂ２が形成されないもの、或いは他の凹凸形状が形成されるものとしてもよい。
【００９２】
なお、本実施形態においては、透析治療における血液回路の圧力検出器１０として適用されているが、患者の血液を浄化治療し得る他の血液回路の圧力検出器として適用してもよい。例えば、アセテートフリーバイオフィルトレーション（ＡＦＢＦ）、持続緩徐式血液濾過療法、血液吸着療法、選択式血球成分除去療法、単純血漿交換療法、二重膜濾過血漿交換療法、血漿吸着療法等で使用される血液回路の圧力検出器に適用してもよい。
【産業上の利用可能性】
【００９３】
流入ポートの流路部又は流出ポートの流路部のうち少なくとも一方は、その液体の流入方向又は流出方向が膜部材の取付面に対して傾斜して成る圧力検出器であれば、他の形態及び用途のものにも適用することができる。
【符号の説明】
【００９４】
１  動脈側血液回路
２  静脈側血液回路
３  ダイアライザ（血液浄化器）
４  血液ポンプ
５  エアトラップチャンバ
６  透析装置本体
７  収容手段
８  エアトラップチャンバ
９  クランプ手段
１０  圧力検出器
Ｌ１  透析液導入ライン
Ｌ２  透析液排出ライン
Ｌ３  生理食塩液供給ライン
Ｃ  ケース
Ｃａ  液相部ケース
Ｃａ１  流入口
Ｃａ２  流出口
Ｃｂ  気相部ケース
Ｃｂ１  開口
Ｃ１  流入ポート
Ｃ１ａ  流路部
Ｃ１ｂ  接続部
Ｃ２  流出ポート
Ｃ２ａ  流路部
Ｃ２ｂ  接続部
Ｃ３  接続ポート
Ｍ  膜部材
Ｐ  圧力検出センサ
Ｓ１  液相部
Ｓ２  気相部
Ｋ  配管部
Ｂ  疎水性膜
Ｑ（Ｑ１、Ｑ２、Ｑ３）  取付面
Ｐａ  第１中心点
Ｐｂ  第２中心点
Ｘ１  流路部と接続部との境界面
Ｘ２  境界面Ｘ１と平行な面
【図１】
2019198453.tif 000003
【図２】
2019198453.tif 000004
【図３】
2019198453.tif 000005
【図４】
2019198453.tif 000006
【図５】
2019198453.tif 000007
【図６】
2019198453.tif 000008
【図７】
2019198453.tif 000009
【図８】
2019198453.tif 000010
【図９】
2019198453.tif 000011
【図１０】
2019198453.tif 000012
【図１１】
2019198453.tif 000013
【図１２】
2019198453.tif 000014
【図１３】
2019198453.tif 000015
【図１４】
2019198453.tif 000016
【図１５】
2019198453.tif 000017
【図１６】
2019198453.tif 000018
【図１７】
2019198453.tif 000019
【図１８】
2019198453.tif 000020
【図１９】
2019198453.tif 000021
【図２０】
2019198453.tif 000022